(57)【要約】【目的】火葬によって得られた人骨（同様に処理された動物の骨も含むものとする）を、他人に迷惑をかけることなく水中に葬ることができ、また、後の墓参も可能とし、更に、自然界へ貢献することができる人骨の葬送方法を提供することを目的とする。【解決手段】火葬によって得られた人骨を破砕し、その破砕された人骨２に少なくとも珪藻４等の藻類の着床を促す硫酸鉄３を混合すると共にブロック１等の形状に成型して、これを水底５に沈めて藻類を育成させる。【選択図】  図１
2004209183.tif 000002
【特許請求の範囲】
【請求項１】
破砕した人骨に少なくとも藻類の着床を促す適宜の着床材料を混合すると共に適宜の形状に成型して、この成型体を水底に沈めて藻類を育成させることを特徴とする人骨の葬送方法
【請求項２】
前記着床材料が硫酸鉄であることを特徴とする請求項１の人骨の葬送方法
【請求項３】
前記水底が海洋の水底であることを特徴とする請求項１の人骨の葬送方法
【請求項４】
前記成型体が漁礁として使用可能な形状に成型されていることを特徴とする請求項１の人骨の葬送方法
【発明の詳細な説明】
【０００１】
【産業上の利用分野】
本発明は、人骨の葬送方法に関し、特に火葬によって得られた人骨を自然界へ貢献可能な形態で葬る人骨の葬送方法に関するものである。
【０００２】
【従来技術と問題点】
従来、人の埋葬は火葬によって得られた人骨を骨壷に入れ、その骨壷を故人の家の墓に納めるすなわち納骨するのが普通である。
そして、その納骨する墓においては寺院に付属する形態、あるいは、寺院に付属されずに墓所として独立的に管理されている霊園や墓苑等の形態があり、その何れの形態も墓は地面に建造されている。
しかして、近年は土地の高騰によって墓地の入手が難しくなったことから、寺院の付属として、あるいは、寺院に付属することなく独立的に管理されたビル等の室内に適当な棚を設けると共にその棚を適当に仕切ってスペースを設け、そのスペースに骨壷を納めて墓所としている。
【０００３】
さらに、他の埋葬方法としては、上述のような狭い墓に入るよりオープンな大自然の中に居たいという故人の希望をかなえるため、山や海に人骨を散布する所謂散骨も行われている。そして、特に多いのが海での散骨なのである。
なぜなら、山での散骨の場合は、遺族がその散骨のために山に登らなくてはならず、さらには、散骨の際に転落等の危険がるため多くの場合は一般の人達が訪れる山道や湖等の場所での散骨となり、他人にとっては極めて迷惑な行為として見られるからである。そして、大自然の中とは言え多くの他人が訪れる場所として考えてみると、公共の場と同じであるためその散骨には多くの問題がある。
【０００４】
しかし、海での散骨の場合にも問題があり、漁業者の生活の糧となる漁場に人骨が撒かれることになるので、漁業者にとっては極めて迷惑な行為となっているのである。そして、骨が漂っていた海域で捕れた魚であることによる市場価格の低下や取引停止等の問題の発生は明らかであり、従って、海においても散骨には多くの問題がある。
また、散骨場所ではなく散骨それ自体にも問題があり、それは、自然の中に人骨を散布した場合、山等の陸上の場合では、骨が風に乗って山一面にさらにはそれ以上の地域に散逸し、また、海等の水上の場合では、風や海流に乗って広大な海域に散逸するのである。従って、後に遺族等が散骨場所に行った場合、遺骨はその場所に存在しないことが殆どであり事後の墓参行為ができないのである。さらには、散骨の際に骨紛が風等によって散骨者の身体や衣服にかかったり、船内に舞い戻ってしまうことも多く、心理的にもあまり快いものではないのである。
【０００５】
【目的】
本発明は上述した問題点に鑑みてなされたもので、火葬によって得られた人骨を、他人に迷惑をかけることなく水中に葬ることができ、また、事後の墓参も可能とし、さらに、自然界へ貢献することができる人骨の葬送方法を提供することを目的とするものである。
【０００６】
【問題を解決するための手段】
本発明の要旨とするところは、破砕した人骨に少なくとも藻類の着床を促す適宜の着床材料を混合すると共に適宜の形状に成型して、この成型体を水底に沈めて藻類を育成させることを特徴とする人骨の葬送方法である。
【０００７】
本発明の人骨の水葬方法を詳しく説明すると、人骨とは、葬儀の過程の中で火葬行為によって得られた故人の骨であり、また、同様に処理された動物の骨を含むものとし、この骨を適当な破砕手段によって破砕する。
そして、破砕して得る人骨の大きさは、少なくとも後の成型工程で使用可能な大きさであればよく、成型工程で成型される成型体の形状やその成型体の用途等を考慮して適宜の大きさに粉砕すればよい。例えば、粉末状または粒状である。
【０００８】
その破砕したの人骨に、藻類の着床を促す適宜の着床材料を混合するが、その混合手段や混合方法等も特に限定するものではなく、例えば、適当な混合装置や攪拌装置等を用いて行えばよい。
また、着床材料とは、付着した藻類の種等の発芽や成長を助ける育成肥料となる得るものであり、その着床材料としても藻類の着床や成長等を促すことができるものであれば特にそれを限定するものではなく、着床効果のある適当な薬剤や部材を選定して用いればよい。しかして、着床材料として望ましいものは硫酸鉄がよい。その硫酸鉄も特に優れているものは硫酸第１鉄であるが、硫酸第２鉄を用いることも可能である。
【０００９】
そして、人骨と着床材料との混合の後に行う成型においても、その成型の形状や形態等も特に限定するものではないが、成型体を水没させる場所の水底状態や育成させる藻類の種類等を考慮して最適な形状や形態等に成型すればよい。
例えば、円柱／球体／直方体／テトラポット等の形状としたり、また、漁礁になるように小魚やカニ等の生物が隠れることが可能な適当な穴や貫通孔を設けたり、そして、立体的に積み重ね可能な形態にしてもよい。さらには、水沈させる際のフック掛け等も形成してもよい。
【００１０】
その成型方法も特に限定するものではなく、公知の技術を適当に選定して行えばよい。例えば、圧縮成型／抽出成型／型枠成型等であるが、その成型方法によっては人骨と着床材料との混合の際に適当な固形剤や固化剤等を加えて混合または混練することもある。その固形剤や固化剤等も公知のものを適当に選定して用いればよい。
また、成型する方法としては、ネット体または通気性を有する適当な素材で人骨と藻類の着床材料を包装する方法も、成型方法の一つとして含まれる。
【００１１】
このようにして得られた成型体を水底に沈めて藻類を育成させるのであるが、水没させる場所も特に限定するものではなく、河川／湖／沼／池等の水底、海洋の水底の何れでもよいが、真理的には海洋の水底の方が望ましい。
また、河川／湖／沼／池等の淡水に水没させる場合と、海洋の海水に水没させる場合とにより、藻類の着床や成長等を促す着床材料を適宜に選定すればよい。
【００１２】
【作用】
本発明の人骨の葬送方法は以上のように、破砕した人骨に少なくとも藻類の着床を促す適宜の着床材料を混合すると共に適宜の形状に成型し、この成型体を水底に沈めて藻類を育成させるものであり、人骨においては、水没後も人骨がその場所に留まることができる。
また、水没した成型体の周囲の水液中には成型体に含まれる着床材料の成分が溶出すので、成型体に付着した藻類の種等は発芽や成長が助けられ、これによって、成型体への藻類の着床そして成長が促進される。
着床材料に硫酸第１鉄を用いた場合、水中においてＣａ（カルシウム）イオンおよびＦｅ（鉄）イオンを溶出する。
【００１３】
【実施例】
本発明の人骨の葬送方法を以下図面に従って説明すると、図１は、本発明に係る人骨の葬送方法の過程を示すブロック図であり、先ず普通に葬儀を行い（Ａ）、次に火葬により人骨を得る（Ｂ）。そして、火葬によって得られた人骨を破砕して所望の大きさの粒子にし（Ｃ）、その破砕した人骨に硫酸第１鉄の着床材料を混合して（Ｄ）、ブロックに成型（Ｅ）する。このブロックを海洋等の水底に水没させて（Ｆ）、珪藻等の藻類を育成させる（Ｇ）。
【００１４】
また、成型したブロックを特定海域に水没させ、これを１週間後に引き上げて表面を調査したところ、前記ブロックの外周は、珪藻の層によって覆われていることが確認された。すなわち、成型体に含まれる着床材料である硫酸第１鉄の成分が海水中に溶出していることによって成型体への珪藻の着床が促進されたことが確認されたものであり、期間が１週間というなかで効果が確認できたことは大きい。
その後の珪藻は、水中に溶け込んだ炭酸ガスを吸収して光合成を行い新陳代謝を繰り返し、その新陳代謝の不要物をプランクトンが食し、さらに、そのプランクトンを小魚等が食し、さらには、その小魚等を大型魚が食すといった食物連鎖が始まる。
【００１５】
図２は、成型体を示す一部切欠き斜視図であり、（ａ）図に示す成型体１は円柱状に成型した円柱ブロックで、２は破砕された人骨、３は硫酸第１鉄である。また、（ｂ）図に示す成型体１は球体状に成型した球体ブロックである。
図３は、他の形状の成型体を示す斜視図であり、成型体１に貫通孔１１と穴１２を設けたもので、貫通孔１１や穴１２が小魚等の隠れ家となるようになっており、漁礁として使用可能なものである。
【００１６】
図４は、水底での使用状態を示す斜視図であり、成型体１が水底５に置かれている状態である。また、４は成型体１の周囲を覆う珪藻である。しかして、発生する藻類は珪藻４に限るものではない。本図の成型体１は水底の状態を特に選ばない形状のものである。
図５は、他の使用状態を示す斜視図であり、積み上げ可能に成型された成型体１が水底５に積み上げられて置かれた状態である。１週間程すると成型体１の周囲が藻類で覆われる。本図の成型体１は水底が平坦な水域に適するものである。
【００１７】
【効果】
本発明の人骨の葬送方法は以上のようなものであるので、水没させた後も人骨がその場所に留まることができる。従って、従来のように人骨が散逸しないため漁業者や行楽者等の他人に迷惑をかけることはない。そして、事後の墓参も普通にすることができる。
また、水没させる際は、その場所で漁業を営む者があればその者の許可を受ければよいので、人骨の散逸がない本発明の実行性は極めて高いものとなる。
【００１８】
水没後は、成型体に含まれる着床材料の成分の溶出により、成型体に付着した藻類の種等の発芽や成長が助けられ、これによって、成型体への藻類の着床そして成長が促進される。
その藻類の成長によって水中への酸素供給量も増え、さらに、藻類の新陳代謝によってプランクトンも増え、また、そのプランクトンを食すためにそして藻類を隠れ家に小魚やカニ等の生物も住み着き、さらには、これらの生物を食す大型の魚も回遊してくる。すなわち、食物連鎖が期待できるものである。
また、水没させる成型体の形状によっては漁礁として即活用することもでき、自然界への貢献度は極めて大きなものとなる。
【図面の簡単な説明】
【図１】本発明に係る人骨の葬送方法の過程を示すブロック図
【図２】成型体を示す一部切欠き斜視図
【図３】他の形状の成型体を示す斜視図
【図４】水底での使用状態を示す斜視図
【図５】他の使用状態を示す斜視図
【符号の説明】
１−成型体，１１−貫通孔，１２−穴，２−人骨，３−硫酸第１鉄，４−珪藻，５−水底
【図１】
2004209183.tif 000003
【図２】
2004209183.tif 000004
【図３】
2004209183.tif 000005
【図４】
2004209183.tif 000006
【図５】
2004209183.tif 000007